(57)【要約】【課題】冷凍サイクルを利用して冷却除湿及び衣類乾燥等をおこなう除湿乾燥機において、加熱されずに除湿された空気を得ることや、除湿量を調節した冷却および加熱空気を得ることができ、使用状況に応じた空気を得ることを目的としている。【解決手段】内部熱交換器１０７と蒸発器１０５間の風路Ｃ１（４）間に分流ダンパＣ（１）を設け、内部熱交換器１０７とバイパス風路Ｃ２（５）への分流風量を調整し、凝縮器１０３を通る風路７で合流して吐出することにより、除湿量を調節した加熱空気を得ることができる。  また、温湿度、経過時間、室内広さ、衣類乾燥度、衣類量などを情報としてそれぞれの風量の調整を制御することによって、状況に応じた除湿空気を得ることができる。【選択図】図１ 
2005177224.tif 000002
【特許請求の範囲】
【請求項１】
圧縮機、凝縮器、絞り手段、蒸発器を備え、この順に冷媒配管にて接続することにより冷凍サイクルを形成し、除湿対象となる空気の流入口から前記蒸発器へ流れる空気と前記蒸発器から流出する冷却除湿された空気との間で熱交換が行われるように内部熱交換器を配置した除湿乾燥機において、前記蒸発器から前記内部熱交換器へ流入する直前の空気を分流し、前記内部熱交換器を通過する風量とバイパスする風量を調整する二次入口分流手段を設けた除湿乾燥機。
【請求項２】
圧縮機、凝縮器、絞り手段、蒸発器を備え、この順に冷媒配管にて接続することにより冷凍サイクルを形成し、除湿対象となる空気の流入口から前記蒸発器へ流れる空気と前記蒸発器から流出する冷却除湿された空気との間で熱交換が行われるように内部熱交換器を配置した除湿乾燥機において、前記蒸発器から前記内部熱交換器を通過した空気を分流し、前記凝縮器を通過する風量とバイパスする風量を調整する出口分流手段を設けた除湿乾燥機。
【請求項３】
圧縮機、凝縮器、絞り手段、蒸発器を備え、この順に冷媒配管にて接続することにより冷凍サイクルを形成し、除湿対象となる空気の流入口から前記蒸発器へ流れる空気と前記蒸発器から流出する冷却除湿された空気との間で熱交換が行われるように内部熱交換器を配置した除湿乾燥機において、前記蒸発器から前記内部熱交換器を通過した空気を分流し、前記凝縮器を通過する風量とバイパスする風量を調整する出口分流手段を設け、前記蒸発器から前記内部熱交換器へ流入する空気を分流し、前記内部熱交換器を通過する風量とバイパスする風量を調整する二次入口分流手段を設けた除湿乾燥機。
【請求項４】
圧縮機、凝縮器、絞り手段、蒸発器を備え、この順に冷媒配管にて接続することにより冷凍サイクルを形成し、除湿対象となる空気の流入口から前記蒸発器へ流れる空気と前記蒸発器から流出する冷却除湿された空気との間で熱交換が行われるように内部熱交換器を配置した除湿乾燥機において、前記蒸発器から前記内部熱交換器を通過した空気を分流し、前記凝縮器を通過する風量とバイパスする風量を調整する出口分流手段を設け、前記空気の流入口から前記内部熱交換器へ流入する空気を分流し、前記内部熱交換器を通過する風量とバイパスする風量を調整する一次入口分流手段を設けた除湿乾燥機。
【請求項５】
運転開始後の経過時間を出力するタイマーを設け、この経過時間に応じてそれぞれの分流風量を調整する制御手段を設けた請求項１〜４のいずれかに記載の除湿乾燥機。
【請求項６】
運転する部屋の大きさを設定する空間設定手段と、運転開始後の経過時間を出力するタイマーを設け、設定した部屋の大きさと運転経過時間に応じてそれぞれの分流風量を調整する制御部を設けた請求項１〜４のいずれかに記載の除湿乾燥機。
【請求項７】
被乾燥物量を検出する乾燥量検出手段と、運転開始後の経過時間を出力するタイマーを設け、少なくとも検出した被乾燥物量と運転経過時間に応じてそれぞれの分流風量を調整する制御手段を設けた請求項１、２、３、４、または６記載の除湿乾燥機。
【請求項８】
被乾燥物の湿り量を検出する湿り量検出手段を設け、少なくともこの検出値に応じてそれぞれの分流風量を調整する制御手段を設けた請求項１〜７のいずれかに記載の除湿乾燥機。
【請求項９】
室内の温湿度検出手段を設け、少なくともこの温湿度検知値に応じてそれぞれの分流風量を調整する制御手段を設けた請求項１〜８のいずれかに記載の除湿乾燥機。
【発明の詳細な説明】
【技術分野】
【０００１】
本発明は、冷凍サイクルを利用して冷却除湿及び衣類乾燥等をおこなう除湿乾燥機に関する。
【背景技術】
【０００２】
従来、この種の除湿乾燥機は、内部熱交換器を用いたものが知られている（例えば、特許文献１参照）。
【０００３】
以下、その除湿乾燥機について図２１を参照しながら説明する。
【０００４】
図２１に示すように除湿乾燥機１０１は、圧縮機１０２、凝縮器１０３、絞り装置１０４、蒸発器１０５をこの順に冷媒配管１０６で接続して冷凍サイクルを形成し、蒸発器１０５で除湿対象となる空気を冷却除湿するヒートポンプを本体としており、蒸発器１０５から凝縮器１０３への風路中に内部熱交換器１０７が配置されている。また、流入口１０８では内部熱交換器１０７をバイパスして蒸発器１０５へ空気を導く風路の切り換えができる構成としている。
【０００５】
上記のように構成された除湿乾燥機１０１において、流入口１０８から流入した空気は内部熱交換器１０７へ入り、すでに蒸発器１０５により冷却除湿された空気と熱交換して予冷され、その後蒸発器１０５を通って除湿される場合と、流入口１０８から流入した空気は内部熱交換器１０７をバイパスし蒸発器１０５を通って除湿される場合とに切り換えられ、最終的に凝縮器１０３で温められて室内へ放出されるが、高湿度な空気は予冷せず低湿度の空気は予冷して除湿するので、簡単な構造で効率的な除湿が行えるものである。
【特許文献１】特開昭６３−１３５７３１号公報
【発明の開示】
【発明が解決しようとする課題】
【０００６】
このような従来の除湿乾燥機１０１では、常に除湿された加熱空気だけを室内に吹出すため、加熱されずに除湿された空気を得ることや、除湿量を調節した冷却および加熱空気を得ることができないという課題があり、使用状況に応じた空気を吹き出すことが要求されている。
【０００７】
本発明は、このような従来の課題を解決するものであり、加熱されずに除湿された空気を得ることや、除湿量を調節した冷却および加熱空気を得ることによって、使用状況に応じた空気を吹き出すことができ、心地よい室内環境と衣類乾燥の仕上り状態を改善することができる除湿乾燥機を提供することを目的としている。
【課題を解決するための手段】
【０００８】
本発明の除湿乾燥機は上記目的を達成するために、蒸発器から内部熱交換器へ流入する直前の空気を分流し、内部熱交換器を通過する風量とバイパスする風量を調整する二次入口分流手段を設けたものである。
【０００９】
本発明によれば、除湿量を調節した加熱空気を得ることで、使用状況に応じた空気を吹き出すことができる除湿乾燥機が得られる。
【００１０】
また他の手段は、蒸発器から内部熱交換器を通過した空気を分流し、凝縮器を通過する風量とバイパスする風量を調整する出口分流手段を設けたものである。
【００１１】
これにより、加熱されずに除湿された空気を得ることや、除湿量を調節した加熱空気を得ることができる。
【００１２】
また他の手段は、蒸発器から内部熱交換器を通過した空気を分流し、凝縮器を通過する風量を調整する出口分流手段を設け、蒸発器から内部熱交換器へ流入する空気を分流し、内部熱交換器を通過する風量とバイパスする風量を調整する二次入口分流手段を設けたものである。
【００１３】
これにより、除湿量を調節した冷却および加熱空気を得ることができる。
【００１４】
また他の手段は、蒸発器から内部熱交換器を通過した空気を分流し、凝縮器を通過する風量とバイパスする風量を調整する出口分流手段を設け、空気の流入口から内部熱交換器へ流入する空気を分流し、内部熱交換器を通過する風量とバイパスする風量を調整する一次入口分流手段を設けたものである。
【００１５】
これにより、除湿量を調節した冷却および加熱空気を得ることができる。
【００１６】
また、他の手段は、運転開始後の経過時間を出力するタイマーを設け、この経過時間に応じてそれぞれの分流風量を調整する制御手段を設けたものである。
【００１７】
これにより、衣類乾燥の仕上り状態を改善することができる除湿乾燥機を得ることができる。
【００１８】
また他の手段は、運転する部屋の大きさを設定する空間設定手段と、運転開始後の経過時間を出力するタイマーを設け、設定した部屋の大きさと運転経過時間に応じてそれぞれの分流風量を調整する制御手段を設けたものである。
【００１９】
これにより、衣類乾燥の仕上り状態を改善することができる除湿乾燥機を得ることができる。
【００２０】
また他の手段は、被乾燥物量を検出する乾燥量検出手段と、運転開始後の経過時間を出力するタイマーを設け、検出した被乾燥物量と運転経過時間に応じてそれぞれ凝縮器や内部熱交換器の分流風量を調整する制御手段を設けたものである。
【００２１】
これにより、衣類乾燥の仕上り状態を改善することができる除湿乾燥機を得ることができる。
【００２２】
また他の手段は、被乾燥物の湿り量を検出する湿り量検出手段を設け、少なくともこの検出値に応じてそれぞれの分流風量を調整する制御手段を設けたものである。
【００２３】
これにより、衣類乾燥の仕上り状態を改善することができる除湿乾燥機を得ることができる。
【００２４】
また他の手段は、室内の温湿度検出手段を設け、少なくともこの温湿度検知値に応じてそれぞれの分流風量を調整する制御手段を設けたものである。
【００２５】
これにより、使用状況に応じた空気を吹き出すことができ、心地よい室内環境と衣類乾燥の仕上り状態を改善する除湿乾燥機を得ることができる。
【発明の効果】
【００２６】
本発明によればバイパス風路Ｃ２と風路Ｃ１の風量分配比率を調整することによって、その風量分配比率に応じて、除湿能力を調整し、湿度を調整した加熱空気を得ることができる。
【００２７】
また、バイパス風路Ｄ２と風路Ｄ１の風量分配比率を調整し、バイパス風路Ｄ２とバイパス風路Ｄ３の風量を同等となるように風量調整ダンパを同期させることによって、その風量分配比率に応じて、湿度を調整した加熱空気と適度に除湿冷却された空気を得ることができる。
【００２８】
また、バイパス風路Ｃ２と風路Ｃ１の風量分配比率を調整することと、バイパス風路Ｄ２と風路Ｄ１の風量分配比率を調整し、バイパス風路Ｄ２とバイパス風路Ｄ３の風量を同等となるように風量調整ダンパを同期させることによって、それぞれの風量分配比率に応じて、除湿能力を調整し、湿度を調整した加熱空気と適度に除湿冷却された空気を得ることができる。
【００２９】
また、バイパス風路Ａ２と風路Ａ１の風量分配比率を調整することと、バイパス風路Ｄ２と風路Ｄ１の風量分配比率を調整し、バイパス風路Ｄ２とバイパス風路Ｄ３の風量を同等となるように風量調整ダンパを同期させることによって、それぞれの風量分配比率に応じて、除湿能力を調整し、湿度を調整した加熱空気と適度に除湿冷却された空気を得ることができる。
【００３０】
また、運転経過時間、部屋の大きさ設定、乾燥対象物の重量設定、乾燥対象物の湿り量検知、室内温湿度検知をそれぞれ制御パラメータとしてそれぞれの風量制御を行うことで、乾燥しすぎによるゴワツキを善することができ、必要以上に居住空間の温度や湿度を上昇することなく衣類などを乾燥できる効果のある除湿乾燥機を提供できる。
【発明を実施するための最良の形態】
【００３１】
本発明の請求項１の発明は、圧縮機、凝縮器、絞り手段、蒸発器を備え、この順に冷媒配管にて接続することにより冷凍サイクルを形成し、除湿対象となる空気の流入口から前記蒸発器へ流れる空気と前記蒸発器から流出する冷却除湿された空気との間で熱交換が行われるように内部熱交換器を配置した除湿乾燥機において、前記蒸発器から前記内部熱交換器へ流入する直前の空気を分流し、前記内部熱交換器を通過する風量とバイパスする風量を調整する二次入口分流手段を設けたものであり、内部熱交換器をバイパスする風量増加によって内部熱交換器の能力が減少するとともに除湿能力も減少するので、内部熱交換器をバイパスする風量を調整することにより除湿量を調節した加熱空気を得ることができるという作用を有する。
【００３２】
また、圧縮機、凝縮器、絞り手段、蒸発器を備え、この順に冷媒配管にて接続することにより冷凍サイクルを形成し、除湿対象となる空気の流入口から前記蒸発器へ流れる空気と前記蒸発器から流出する冷却除湿された空気との間で熱交換が行われるように内部熱交換器を配置した除湿乾燥機において、前記蒸発器から前記内部熱交換器を通過した空気を分流し、前記凝縮器を通過する風量とバイパスする風量を調整する出口分流手段を設けたものであり、凝縮器をバイパスした空気は、加熱されずに除湿された空気として室内に供給され、また凝縮器を通過する除湿された空気量が調節されるので、湿度を調節した加熱空気を得ることができる。
【００３３】
また、圧縮機、凝縮器、絞り手段、蒸発器を備え、この順に冷媒配管にて接続することにより冷凍サイクルを形成し、除湿対象となる空気の流入口から前記蒸発器へ流れる空気と前記蒸発器から流出する冷却除湿された空気との間で熱交換が行われるように内部熱交換器を配置した除湿乾燥機において、前記蒸発器から前記内部熱交換器を通過した空気を分流し、前記凝縮器を通過する風量とバイパスする風量を調整する出口分流手段を設け、前記蒸発器から前記内部熱交換器へ流入する空気を分流し、前記内部熱交換器を通過する風量とバイパスする風量を調整する二次入口分流手段を設けたものであり、内部熱交換器をバイパスする風量増加によって内部熱交換器の能力が減少するとともに除湿能力も減少するので、内部熱交換器をバイパスする風量を調整することにより除湿量を調節でき、また凝縮器をバイパスした空気は、加熱されずに除湿された空気として室内に供給され、さらに凝縮器を通過する除湿された空気量が調節されるので、湿度を調節した加熱空気を得ることができ、これらにより、除湿量を調節した冷却および加熱空気を得ることができる。
【００３４】
また、圧縮機、凝縮器、絞り手段、蒸発器を備え、この順に冷媒配管にて接続することにより冷凍サイクルを形成し、除湿対象となる空気の流入口から前記蒸発器へ流れる空気と前記蒸発器から流出する冷却除湿された空気との間で熱交換が行われるように内部熱交換器を配置した除湿乾燥機において、前記蒸発器から前記内部熱交換器を通過した空気を分流し、前記凝縮器を通過する風量とバイパスする風量を調整する出口分流手段を設け、前記空気の流入口から前記内部熱交換器へ流入する空気を分流し、前記内部熱交換器を通過する風量とバイパスする風量を調整する一次入口分流手段を設けたものであり、内部熱交換器をバイパスする風量増加によって内部熱交換器の能力が減少するとともに除湿能力も減少するので、内部熱交換器をバイパスする風量を調整することにより除湿量を調節でき、また凝縮器をバイパスした空気は、加熱されずに除湿された空気として室内に供給され、さらに凝縮器を通過する除湿された空気量が調節されるので、湿度を調節した加熱空気を得ることができ、これらにより、除湿量を調節した冷却および加熱空気を得ることができる。
【００３５】
また、運転開始後の経過時間を出力するタイマーを設け、この経過時間に応じてそれぞれの分流風量を調整する制御手段を設けたものであり、運転開始からの経過時間に応じてそれぞれ凝縮器または内部熱交換器の分流風量を調整し、使用状況に応じた、除湿量を調節した冷却および加熱空気空気を得ることができ、衣類乾燥の仕上り状態を改善することができる。
【００３６】
また、運転する部屋の大きさを設定する空間設定手段と、運転開始後の経過時間を出力するタイマーを設け、設定した部屋の大きさと運転経過時間に応じてそれぞれの分流風量を調整する制御部を設けたものであり、部屋の大きさの設定値と運転開始からの経過時間に応じてそれぞれ凝縮器や内部熱交換器の分流風量を調整し、使用状況に応じて除湿量を調節した冷却および加熱空気空気を得ることができ、衣類乾燥の仕上り状態を改善することができる。
【００３７】
また、被乾燥物量を検出する乾燥量検出手段と、運転開始後の経過時間を出力するタイマーを設け、少なくとも検出した被乾燥物量と運転経過時間に応じてそれぞれの分流風量を調整する制御手段を設けたものであり、被乾燥物量の検出値と運転開始からの経過時間に応じてそれぞれ凝縮器や内部熱交換器の分流風量を調整し、使用状況に応じて除湿量を調節した冷却および加熱空気空気を得ることができ、衣類乾燥の仕上り状態を改善することができる。
【００３８】
また、被乾燥物の湿り量を検出する湿り量検出手段を設け、少なくともこの検出値に応じてそれぞれの分流風量を調整する制御手段を設けたことにより、被乾燥物の湿り量に応じてそれぞれ凝縮器や内部熱交換器の分流風量を調整し、使用状況に応じて除湿量を調節した冷却および加熱空気空気を得ることができ、衣類乾燥の仕上り状態を改善することができる。
【００３９】
また、室内の温湿度検出手段を設け、少なくともこの温湿度検知値に応じてそれぞれの分流風量を調整する制御手段を設けたものであり、室内の温湿度検知手段の検知値に応じてそれぞれ凝縮器または内部熱交換器の分流風量を調整し、使用状況に応じて除湿量を調節した冷却および加熱空気空気を得ることができ、心地よい室内環境と衣類乾燥の仕上り状態を改善することができるという作用を有する。
【００４０】
以下、本発明の実施の形態について図面を参照しながら説明する。
【００４１】
（実施の形態１）
図１は除湿乾燥機の構成図、図２と図３は各部における空気の状態変化を示す空気線図である。
【００４２】
図１において、圧縮機１０２、凝縮器１０３、絞り装置１０４、蒸発器１０５をこの順に冷媒配管１０６で接続して冷凍サイクルを形成し、蒸発器１０５で除湿対象となる空気を冷却除湿するヒートポンプを本体としており、蒸発器１０５から凝縮器１０３への風路中に内部熱交換器１０７が配置されている。そして、内部熱交換器１０７のバイパス風路Ｃ２（５）と、このバイパス風量と内部熱交換器１０７風量の分流調整する分流ダンパＣ（１）が設けられている。
【００４３】
上記構成において、室内空気の流入口Ａ（２）から流入した空気は内部熱交換器１０７へ入り、すでに蒸発器１０５により冷却除湿された空気と熱交換して予冷され、風路Ｂ（３）を通って蒸発器１０５へと導かれ、蒸発器１０５により冷却除湿される。その後分流ダンパＣ（１）によって内部熱交換器１０７へ導く風路Ｃ１（４）とバイパス風路Ｃ２（５）に分流される。風路Ｃ１（４）を流れる空気は内部熱交換器１０７を通り流入口Ａ（２）から流入した空気と熱交換し加熱され、風路Ｄ（６）を通り凝縮器１０３へと導かれる。バイパス風路Ｃ２（５）を流れる空気はそのまま凝縮器１０３へと導かれる。凝縮器１０３を通過し、加熱された空気は風路Ｅ（７）より室内へ吹出されることとなる。
【００４４】
このように作用する除湿乾燥機の各部分（流入口Ａ→風路Ｂ→風路Ｃ１、バイパス風路Ｃ２→風路Ｄ→風路Ｅ）の空気の状態変化を図２と図３の空気線図上に示す。図２は分流ダンパＣ（１）の開度を全閉にした場合、すなわちバイパス風路Ｃ２（５）に空気が流れない様にした場合である。図３は分流ダンパＣ（１）の開度を１／２開にした場合、すなわちバイパス風路Ｃ２（５）と風路Ｃ１（４）の風量を同等にした場合である。
【００４５】
図２と図３から分流ダンパＣ（１）を開き内部熱交換器１０７をバイパスすることで内部熱交換器１０７の能力が低下し、蒸発器１０５出口の風路Ｃ１（４）において絶対湿度の減少を少なくできていること、すなわち、除湿能力を調整できていることがわかる。
【００４６】
このようにバイパス風路Ｃ２（５）と風路Ｃ１（４）の風量分配比率を調整したとき、バイパス風路Ｃ２（５）と風路Ｃ１（４）の風量分配比率に応じて、湿度を調整した加熱空気を得ることができる。
【００４７】
（実施の形態２）
図４は除湿乾燥機の構成図、図５と図６は各部における空気の状態変化を示す空気線図である。
【００４８】
図４において、圧縮機１０２、凝縮器１０３、絞り装置１０４、蒸発器１０５をこの順に冷媒配管１０６で接続して冷凍サイクルを形成し、蒸発器１０５で除湿対象となる空気を冷却除湿するヒートポンプを本体としており、蒸発器１０５から凝縮器１０３への風路中に内部熱交換器１０７が配置されている。そして、凝縮器１０３のバイパス風路Ｄ２（１３）と、このバイパス風量と凝縮器１０３風量の分流調整する分流ダンパＤ（８）が設けられている。
【００４９】
上記構成において、室内空気の流入口Ａ（２）から流入した空気は内部熱交換器１０７へ入り、すでに蒸発器１０５により冷却除湿された空気と熱交換して予冷され、風路Ｂ（３）を通って蒸発器１０５へと導かれ、蒸発器１０５により冷却除湿される。そして風路Ｃ（１０）を通り、内部熱交換器１０７で流入口Ａ（２）から流入した空気と熱交換し加熱される。その後風路Ｄ０（１１）を通り、分流ダンパＤ（８）によって凝縮器１０３へ導く風路Ｄ１（１２）とバイパス風路Ｄ２（１３）に分流される。バイパス風路Ｄ２（１３）を流れる空気はそのまま室内へ吹出される。風路Ｄ１（１２）を流れる空気は凝縮器１０３へと導かれ、凝縮器１０３を通過しさらに加熱され、風路Ｅ（７）より室内へ吹出されることとなる。また、このとき流入口Ａ（２）より風路Ｄ１（１２）までバイパスするバイパス風路Ｄ３（１４）とその風量を分流ダンパＤ（８）と同期するように調整する風量調整ダンパ（９）を設けることにより、凝縮器１０３での風量低下を補う。
【００５０】
このように作用する除湿乾燥機の各部分（流入口Ａ→風路Ｂ→風路Ｃ→風路Ｄ１、バイパス風路Ｄ２→風路Ｅ）の空気の状態変化を図５と図６の空気線図上に示す。図５は分流ダンパＤ（８）の開度を全閉にした場合、すなわちバイパス風路Ｄ２（１３）及びバイパス風路Ｄ３（１４）に空気が流れない様にした場合である。図６は分流ダンパＤ（８）の開度を１／２開にした場合、すなわち分流ダンパＤ（８）にて１：１に分流し、バイパス風路Ｄ２（１３）とバイパス風路Ｄ３（１４）の風量を同等にした場合である。
【００５１】
図５と図６から分流ダンパＤ（８）を開き、バイパス風路Ｄ２（１３）とバイパス風路Ｄ３（１４）の風量を同等となるように風量調整ダンパ（９）を同期させることで、適度に除湿冷却された空気を得ることや、凝縮器１０３出口の風路Ｅにおいて絶対湿度の減少を少なくできていること、すなわち、湿度を調整できていることがわかる。
【００５２】
このようにバイパス風路Ｄ２（１３）と風路Ｄ１（１２）の風量分配比率を調整し、バイパス風路Ｄ２（１３）とバイパス風路Ｄ３（１４）の風量を同等となるように風量調整ダンパ（９）を同期させたとき、その風量分配比率に応じて、湿度を調整した加熱空気と適度に除湿冷却された空気を得ることができる。
【００５３】
なお、本実施の形態ではバイパス風路Ｄ２（１３）とバイパス風路Ｄ３（１４）の風量を同等となるように風量調整ダンパ（９）を分流ダンパＤ（８）と同期させて制御したが、分流ダンパＤ（８）の出力と関係なく制御しても良いが冷凍サイクルの安定を保つためには好ましいとは言えない。
【００５４】
また、本実施の形態ではバイパス風路Ｄ２（１３）とバイパス風路Ｄ３（１４）の風量を同等となるように風量調整ダンパ（９）を制御したが、バイパス風路Ｄ２（１３）よりバイパス風路Ｄ３（１４）の風量を多めに設定した方が冷凍サイクルの信頼性が向上する。
【００５５】
（実施の形態３）
図７は除湿乾燥機の構成図、図８は各部における空気の状態変化を示す空気線図である。
【００５６】
図７において、圧縮機１０２、凝縮器１０３、絞り装置１０４、蒸発器１０５をこの順に冷媒配管１０６で接続して冷凍サイクルを形成し、蒸発器１０５で除湿対象となる空気を冷却除湿するヒートポンプを本体としており、蒸発器１０５から凝縮器１０３への風路中に内部熱交換器１０７が配置されている。そして、内部熱交換器１０７のバイパス風路Ｃ２（５）と、このバイパス風量と内部熱交換器１０７風量の分流調整する分流ダンパＣ（１）が設けられている。また、凝縮器１０３のバイパス風路Ｄ２（１３）と、このバイパス風量と凝縮器１０３風量の分流調整する分流ダンパＤ（８）が設けられている。
【００５７】
上記構成において、室内空気の流入口Ａ（２）から流入した空気は内部熱交換器１０７へ入り、すでに蒸発器１０５により冷却除湿された空気と熱交換して予冷され、風路Ｂ（３）を通って蒸発器１０５へと導かれ、蒸発器１０５により冷却除湿される。その後、分流ダンパＣ（１）によって内部熱交換器１０７へ導く風路Ｃ１（４）とバイパス風路Ｃ２（５）に分流される。風路Ｃ１（４）を流れる空気は内部熱交換器１０７を通り流入口Ａ（２）から流入した空気と熱交換し加熱され、風路Ｄ０（１１）へと導かれる。バイパス風路Ｃ２（５）を流れる空気はそのまま風路Ｄ０（１１）へと導かれる。その後、分流ダンパＤ（８）によって凝縮器１０３へ導く風路Ｄ１（１２）とバイパス風路Ｄ２（１３）に分流される。バイパス風路Ｄ２（１３）を流れる空気はそのまま室内へ吹出される。風路Ｄ１（１２）を流れる空気は凝縮器１０３へと導かれ、凝縮器１０３を通過しさらに加熱され、風路Ｅ（７）より室内へ吹出されることとなる。また、このとき流入口Ａ（２）より風路Ｄ１（１２）までバイパスするバイパス風路Ｄ３（１４）とその風量を分流ダンパＤ（８）と同期するように調整する風量調整ダンパ（９）を設けることにより、凝縮器１０３での風量低下を補う。
【００５８】
このように作用する除湿乾燥機の各部分（流入口Ａ→風路Ｂ→風路Ｃ１、バイパス風路Ｃ２→風路Ｄ１、バイパス風路Ｄ２→風路Ｅ）の空気の状態変化を図８の空気線図上に示す。図８は分流ダンパＣ（１）と分流ダンパＤ（８）の開度を１／２開にした場合、すなわちそれぞれの分流ダンパにて１：１に分流し、バイパス風路Ｄ２（１３）とバイパス風路Ｄ３（１４）の風量を同等にした場合である。
【００５９】
図８から分流ダンパＤ（８）を開き、バイパス風路Ｄ２（１３）とバイパス風路Ｄ３（１４）の風量を同等となるように風量調整ダンパ（９）を同期させることで、適度に除湿冷却された空気を得ることや、凝縮器１０３出口の風路Ｅ（７）において絶対湿度の減少を少なくできていること、すなわち、湿度を調整できていることがわかる。また、分流ダンパＣ（１）を開き内部熱交換器１０７をバイパスすることで内部熱交換器１０７の能力が低下し、蒸発器１０５出口の風路Ｃ１（４）において絶対湿度の減少を少なくできていること、すなわち、除湿能力を調整できていることがわかる。
【００６０】
このようにバイパス風路Ｃ２（５）と風路Ｃ１（４）の風量分配比率を調整したとき、バイパス風路Ｃ２（５）と風路Ｃ１（４）の風量分配比率に応じて、機器の除湿能力を変化させ湿度を調整した加熱空気を得ることができる。また、バイパス風路Ｄ２（１３）と風路Ｄ１（１２）の風量分配比率を調整し、バイパス風路Ｄ２（１３）とバイパス風路Ｄ３（１４）の風量を同等となるように風量調整ダンパ（９）を同期させたとき、その風量分配比率に応じて、湿度を調整した加熱空気と適度に除湿冷却された空気を得ることができる。
【００６１】
（実施の形態４）
図９は除湿乾燥機の構成図、図１０は各部における空気の状態変化を示す空気線図である。
【００６２】
図９において、圧縮機１０２、凝縮器１０３、絞り装置１０４、蒸発器１０５をこの順に冷媒配管１０６で接続して冷凍サイクルを形成し、蒸発器１０５で除湿対象となる空気を冷却除湿するヒートポンプを本体としており、蒸発器１０５から凝縮器１０３への風路中に内部熱交換器１０７が配置されている。そして、内部熱交換器１０７のバイパス風路Ａ２（１７）と、このバイパス風量と内部熱交換器１０７風量の分流調整する分流ダンパＡ（１５）が設けられている。また、凝縮器１０３のバイパス風路Ｄ２（１３）と、このバイパス風量と凝縮器１０３風量の分流調整する分流ダンパＤ（８）が設けられている。
【００６３】
上記のように構成された除湿乾燥機において、室内空気の流入口Ａ（２）から流入した空気は分流ダンパＡ（１５）によって内部熱交換器１０７へ導く風路Ａ１（１６）とバイパス風路Ａ２（１７）に分流される。風路Ａ１（１６）を流れる空気は内部熱交換器１０７を通り、すでに蒸発器１０５により冷却除湿された空気と熱交換して予冷され、風路Ｂ（３）を通ってバイパス風路Ａ２（１７）と合流し、空気蒸発器１０５へと導かれ、蒸発器１０５により冷却除湿される。その後、風路Ｃ（１０）を通り、風路Ａ１（１６）から流入した空気と熱交換し加熱され、風路Ｄ０（１１）へと導かれる。そして、分流ダンパＤ（８）によって凝縮器１０３へ導く風路Ｄ１（１２）とバイパス風路Ｄ２（１３）に分流される。バイパス風路Ｄ２（１３）を流れる空気はそのまま室内へ吹出される。風路Ｄ１（１２）を流れる空気は凝縮器１０３へと導かれ、凝縮器１０３を通過しさらに加熱され、風路Ｅ（７）より室内へ吹出されることとなる。また、このとき流入口Ａ（２）より風路Ｄ１（１２）までバイパスするバイパス風路Ｄ３（１４）とその風量を分流ダンパＤ（８）と同期するように調整する風量調整ダンパ（９）を設けることにより、凝縮器１０３での風量低下を補う。
【００６４】
このように作用する除湿乾燥機の各部分（流入口Ａ、バイパス風路Ａ２→風路Ｂ→風路Ｃ→風路Ｄ１、バイパス風路Ｄ２→風路Ｅ）の空気の状態変化を図１０の空気線図上に示す。図１０は分流ダンパＡ（１５）と分流ダンパＤ（８）の開度を１／２開にした場合、すなわちそれぞれの分流ダンパにて１：１に分流し、バイパス風路Ｄ２（１３）とバイパス風路Ｄ３（１４）の風量を同等にした場合である。
【００６５】
図１０から分流ダンパＤ（８）を開き、バイパス風路Ｄ２（１３）とバイパス風路Ｄ３（１４）の風量を同等となるように風量調整ダンパ（９）を同期させることで、適度に除湿冷却された空気を得ることや、凝縮器１０３出口の風路Ｅ（７）において絶対湿度の減少を少なくできていること、すなわち、湿度を調整できていることがわかる。また、分流ダンパＡ（１５）を開き内部熱交換器１０７をバイパスすることで内部熱交換器１０７の能力が低下し、蒸発器１０５出口の風路Ｃ（１０）において絶対湿度の減少を少なくできていること、すなわち、除湿能力を調整できていることがわかる。
【００６６】
このようにバイパス風路Ａ２（１７）と風路Ａ１（１６）の風量分配比率を調整したとき、バイパス風路Ａ２（１７）と風路Ａ１（１６）の風量分配比率に応じて、機器の除湿能力を変化させ湿度を調整した加熱空気を得ることができる。また、バイパス風路Ｄ２（１７）と風路Ｄ１（１２）の風量分配比率を調整し、バイパス風路Ｄ２（１３）とバイパス風路Ｄ３（１４）の風量を同等となるように風量調整ダンパ（９）を同期させたとき、その風量分配比率に応じて、湿度を調整した加熱空気と適度に除湿冷却された空気を得ることができる。
【００６７】
（実施の形態５）
図１１は除湿乾燥機の構成図、図１２はその制御テーブルである。
【００６８】
なお、基本構成及びその動作によって得られる結果は実施の形態３と同様なので省略する。
【００６９】
図１１において、切タイマの設定と起動からの運転時間の出力をするタイマー１８とその出力に応じて分流ダンパＣ（１）と分流ダンパＤ（８）と風量調整ダンパ（９）の開度を制御するマイコン１９を設けた制御構成としている。
【００７０】
上記構成において、タイマー１８からはマイコン１９に運転開始からの経過時間の情報と切タイマ設定値が送られてくる。マイコン１９ではその切タイマ設定値と経過時間に応じて図１２に示す制御テーブルのように分流ダンパＣ（１）と分流ダンパＤ（８）と風量調整ダンパ（９）の開度を制御してそれぞれの分流風量を調整する。
【００７１】
このように制御することによって、衣類や靴など除湿乾燥するために使用される風路Ｅの空気において、除湿乾燥能力の必要な初期状態では温度の高く湿度も低い状態で供給し、ある程度乾燥してきた状態の衣類に対しては乾燥し過ぎていない状態で供給されるので、乾燥しすぎによるゴワツキを無くすることができる。
【００７２】
また、バイパス風路Ｄ２（１３）からは適度に冷却された除湿空気が得られるため、居住空間に吹出すことによって必要以上に居住空間の温度や湿度を上昇することなく衣類などの乾燥ができる。
【００７３】
（実施の形態６）
図１３は除湿乾燥機の構成図、図１４はその制御テーブルである。
【００７４】
なお基本構成及びその動作によって得られる結果は実施の形態３と同様なので省略する。
【００７５】
図１３において、運転する部屋の大きさを設定する切り換えスイッチ２０と、起動からの運転時間の出力をするタイマー２１と、その出力に応じて分流ダンパＣ（１）、分流ダンパＤ（８）、風量調整ダンパ（９）の開度を制御するマイコン２２を設けた制御構成としている。
【００７６】
上記構成において、切り換えスイッチ２０からは使用する部屋が６畳以下、８畳、１０畳以上と、３段階の切り換えができ、その設定値をマイコン２２が読み取る。そしてタイマー２１からはマイコン２２に運転開始からの経過時間の情報が送られてくる。マイコン２２ではその部屋の広さ設定値と経過時間に応じて図１４に示す制御テーブルのように分流ダンパＣ（１）と分流ダンパＤ（８）と風量調整ダンパ（９）の開度を制御してそれぞれの分流風量を調整する。
【００７７】
このように制御することによって、衣類や靴など除湿乾燥するために使用される風路Ｅ（７）の空気において、除湿乾燥能力の必要な初期状態では温度の高く湿度も低い状態で供給し、ある程度乾燥してきた状態の衣類に対しては乾燥し過ぎていない状態で供給されるので、乾燥しすぎによるゴワツキを善することができる。
【００７８】
また、バイパス風路Ｄ２（１３）からは適度に冷却された除湿空気が得られるため、居住空間に吹出すことによって必要以上に居住空間の温度や湿度を上昇することなく衣類などの乾燥ができる。
【００７９】
（実施の形態７）
図１５は除湿乾燥機の構成図、図１６はその制御テーブルである。
【００８０】
基本構成及びその動作によって得られる結果は実施の形態３と同様なので省略する。
【００８１】
図１５において、衣類や靴などの乾燥させる湿った物体の量を設定する切り換えスイッチ２３と起動からの運転時間の出力をするタイマー２４とその出力に応じて分流ダンパＣ（１）と分流ダンパＤ（８）と風量調整ダンパ（９）の開度を制御するマイコン２５を設けた制御構成としている。
【００８２】
この構成において、切り換えスイッチ２３からは衣類や靴などの量の切り換えが１ｋｇ以下、１〜３ｋｇ、３ｋｇ以上と、３段階の切り換えができ、その設定値をマイコン２５が読み取る。そしてタイマー２４からはマイコン２５に運転開始からの経過時間の情報が送られてくる。マイコン２５ではその部屋の広さ設定値と経過時間に応じて図１６に示す制御テーブルのように分流ダンパＣ（１）と分流ダンパＤ（８）と風量調整ダンパ（９）の開度を制御してそれぞれの分流風量を調整する。
【００８３】
このように制御することによって、衣類や靴など除湿乾燥するために使用される風路Ｅ（７）の空気において、除湿乾燥能力の必要な初期状態では温度の高く湿度も低い状態で供給し、ある程度乾燥してきた状態の衣類に対しては乾燥し過ぎていない状態で供給されるので、乾燥しすぎによるゴワツキを善することができる。
【００８４】
また、バイパス風路Ｄ２（１３）からは適度に冷却された除湿空気が得られるため、居住空間に吹出すことによって必要以上に居住空間の温度や湿度を上昇することなく衣類などの乾燥ができる。
【００８５】
（実施の形態８）
図１７は除湿乾燥機の構成図、図１８はその制御テーブルである。
【００８６】
基本構成及びその動作によって得られる結果は実施の形態３と同様なので省略する。
【００８７】
図１７において、衣類や靴などの乾燥させる湿った物体の湿り量を検知する湿度センサー２６とその出力に応じて分流ダンパＣ（１）と分流ダンパＤ（８）と風量調整ダンパ（９）の開度を制御するマイコン２７を設けた制御構成としている。
【００８８】
上記構成において、湿度センサー２６を湿った物体にクリップなどで密着固定することでその湿り度合いを検知でき、その検知値をマイコン２７が読み取る。そしてマイコン２７ではその部屋の広さ設定値と経過時間に応じて図１８に示す制御テーブルのように分流ダンパＣ（１）と分流ダンパＤ（８）と風量調整ダンパ（９）の開度を制御してそれぞれの分流風量を調整する。
【００８９】
このように制御することによって、衣類や靴など除湿乾燥するために使用される風路Ｅ（７）の空気において、除湿乾燥能力の必要な初期状態では温度の高く湿度も低い状態で供給し、ある程度乾燥してきた状態の衣類に対しては乾燥し過ぎていない状態で供給されるので、乾燥しすぎによるゴワツキを善することができる。
【００９０】
また、バイパス風路Ｄ２（１３）からは適度に冷却された除湿空気が得られるため、居住空間に吹出すことによって必要以上に居住空間の温度や湿度を上昇することなく衣類などの乾燥ができる。
【００９１】
（実施の形態９）
図１９は除湿乾燥機の構成図、図２０はその制御テーブルである。
【００９２】
基本構成及びその動作によって得られる結果は実施の形態３と同様なので省略する。
【００９３】
図１９において、流入口Ａ（２）付近に室内の温度と湿度をそれぞれ検知する室温センサー２８と室内湿度センサー２９とその出力に応じて分流ダンパＣ（１）と分流ダンパＤ（８）と風量調整ダンパ（９）の開度を制御するマイコン３０を設けた制御構成としている。
【００９４】
上記構成において、室温センサー２８と室内湿度センサー２９の検知値をマイコン３０が読み取る。そしてマイコン３０では室内の温度と湿度に応じて図２０に示す制御テーブルのように分流ダンパＣ（１）と分流ダンパＤ（８）と風量調整ダンパ（９）の開度を制御してそれぞれの分流風量を調整する。
【００９５】
このように制御することによって、衣類や靴など除湿乾燥するために使用される風路Ｅ（７）の空気において、除湿乾燥能力の必要な初期状態では温度の高く湿度も低い状態で供給し、ある程度乾燥してきた状態の衣類に対しては乾燥し過ぎていない状態で供給されるので、乾燥しすぎによるゴワツキを善することができる。
【００９６】
また、バイパス風路Ｄ２（１３）からは適度に冷却された除湿空気が得られるため、居住空間に吹出すことによって必要以上に居住空間の温度や湿度を上昇することなく衣類などの乾燥ができる。
【００９７】
なお、本実施の形態では衣類などの乾燥機能を優先した制御使用となっているが、冷却空気の供給を優先し、乾燥機能を補助的にするようにモードの切り換えを行うと、より必要な空気を得ることができる。
【産業上の利用可能性】
【００９８】
居住空間や衣類乾燥以外にも、高湿度となりやすい浴室、押入、物置、クローゼット、床下などの乾燥用途にも適用できる。
【図面の簡単な説明】
【００９９】
【図１】本発明の実施例１の除湿乾燥機の構成図
【図２】同空気の状態変化を示す空気線図
【図３】同空気の状態変化を示す空気線図
【図４】本発明の実施例２の除湿乾燥機の構成図
【図５】同空気の状態変化を示す空気線図
【図６】同空気の状態変化を示す空気線図
【図７】本発明の実施例３の除湿乾燥機の構成図
【図８】同空気の状態変化を示す空気線図
【図９】本発明の実施例４の除湿乾燥機の構成図
【図１０】同空気の状態変化を示す空気線図
【図１１】本発明の実施例５の除湿乾燥機の構成図
【図１２】同制御テーブル図
【図１３】本発明の実施例６の除湿乾燥機の構成図
【図１４】同制御テーブル図
【図１５】本発明の実施例７の除湿乾燥機の構成図
【図１６】同制御テーブル図
【図１７】本発明の実施例８の除湿乾燥機の構成図
【図１８】同制御テーブル図
【図１９】本発明の実施例９の除湿乾燥機の構成図
【図２０】同制御テーブル図
【図２１】従来の除湿乾燥機の構成図
【符号の説明】
【０１００】
１    分流ダンパＣ（二次入口分流手段）
２    流入口Ａ
３    風路Ｂ
４    風路Ｃ１
５    バイパス風路Ｃ２
６    風路Ｄ
７    風路Ｅ
８    分流ダンパＤ（出口分流手段）
９    風量調整ダンパ
１０  風路Ｃ
１１  風路Ｄ０
１２  風路Ｄ１
１３  バイパス風路Ｄ２
１４  バイパス風路Ｄ３
１５  分流ダンパＡ（一次入口分流手段）
１６  風路Ａ１
１７  バイパス風路Ａ２
１８  タイマー
１９  マイコン（制御手段）
２０  切り換えスイッチ（空間設定手段）
２１  タイマー
２２  マイコン（制御手段）
２３  切り換えスイッチ（空間設定手段）
２４  タイマー
２５  マイコン（制御手段）
２６  湿度センサー（湿り量検出手段）
２７  マイコン（制御手段）
２８  室温センサー（温湿度検出手段）
２９  室内湿度センサー（温湿度検出手段）
３０  マイコン（制御手段）
【図１】
2005177224.tif 000003
【図２】
2005177224.tif 000004
【図３】
2005177224.tif 000005
【図４】
2005177224.tif 000006
【図５】
2005177224.tif 000007
【図６】
2005177224.tif 000008
【図７】
2005177224.tif 000009
【図８】
2005177224.tif 000010
【図９】
2005177224.tif 000011
【図１０】
2005177224.tif 000012
【図１１】
2005177224.tif 000013
【図１２】
2005177224.tif 000014
【図１３】
2005177224.tif 000015
【図１４】
2005177224.tif 000016
【図１５】
2005177224.tif 000017
【図１６】
2005177224.tif 000018
【図１７】
2005177224.tif 000019
【図１８】
2005177224.tif 000020
【図１９】
2005177224.tif 000021
【図２０】
2005177224.tif 000022
【図２１】
2005177224.tif 000023